(57)【特許請求の範囲】
【請求項１】
遊技動作を制御する回路基板を固定するための固定側ケースと、この固定側ケースと整合する被覆側ケースとによって、これら両ケースの内部に前記回路基板を封印して収納させるための構造であって、
前記固定側ケースは金属製であってその側縁部に突出片が上向きに折り曲げ形成されると共に前記被覆側ケースの側縁部には前記突出片の内側に宛がわれる樹脂製の規制片が下向きに延出形成され、前記突出片には係止孔が形成されると共に前記規制片には前記係止孔に嵌合して先端が前記突出片の外面から僅かに突出する寸法であってかつ突出面に切り込み部が形成された係止突部が突設され、その係止突部を前記係止孔に嵌合させた状態で前記係止突部の前記切り込み部に熱かしめ治具を割り込ませることにより前記係止突部が前記突出片に熱かしめされ、さらにこの熱かしめ部分を封印紙で覆って両ケースの封印がなされていることを特徴とするパチンコ機における基板収納ボックスの封印構造。
【発明の詳細な説明】
【０００１】
【発明の属する技術分野】
本発明は、パチンコ機における基板収納ボックスの封印構造に関するものである。
【０００２】
【従来の技術】
パチンコ機には、可変表示装置に可変表示される図柄が所定の図柄で停止した場合に大当たりとするものがある。このようなパチンコ機には、通常、可変表示装置を制御するためにＣＰＵ等を備えた回路基板が設けられている。そして、この回路基板は遊技盤の裏面に装着される基板収納ボックス内に収納されている。基板収納ボックスは固定側のケースと、これに被覆される被覆側ケースとからなっているが、不正な改造がなされないよう、ケースの開放は厳重に監視されることが要求されている。このため、従来より、両ケースの合わせ面に封印紙を貼り付けることが行われてきた。
【０００３】
【発明が解決しようとする課題】
しかしながら、封印紙といえども破られずにそのまま剥離してしまう可能性は完全に否定できるものではない。従来は封印の証となるものは封印紙の切断の有無のみであり、万一、封印紙が巧みに剥されるような事態が起きたときには直ちに不正改造の危機に晒されることとなっていた。したがって、より封印の完全性を達成する手段が求められていた。
本発明は上記した従来の問題点に鑑みて開発工夫されたものであり、その目的とするところは、確実な封印を行うことができる封印構造を提供することである。
【０００４】
【課題を解決するための手段】
上記の目的を達成するための請求項１の発明は、遊技動作を制御する回路基板を固定するための固定側ケースと、この固定側ケースと整合する被覆側ケースとによって、これら両ケースの内部に前記回路基板を封印して収納させるための構造であって、固定側ケースは金属製であってその側縁部に突出片が上向きに折り曲げ形成されると共に前記被覆側ケースの側縁部には前記突出片の内側に宛がわれる樹脂製の規制片が下向きに延出形成され、前記突出片には係止孔が形成されると共に前記規制片には前記係止孔に嵌合して先端が前記突出片の外面から僅かに突出する寸法であってかつ突出面に切り込み部が形成された係止突部が突設され、その係止突部を前記係止孔に嵌合させた状態で前記係止突部の前記切り込み部に熱かしめ治具を割り込ませることにより前記係止突部が前記突出片に熱かしめされ、さらにこの熱かしめ部分を封印紙で覆って両ケースの封印がなされていることを特徴とするものである。
【０００５】
【発明の作用及び効果】
請求項１の発明によれば、樹脂部材をケース内において被覆側・固定側の両ケース間に架け渡し、その先端部をケースに形成した開口から引き出して、ここを熱かしめするようにしたため、そのままケースを開放しようとしても、樹脂部材がこれに抗し、もってケースの封印状況が保持される。すなわち、熱かしめ部分を破壊ないし切断しない限りは、ケースを開放することができないため、その破壊等の痕跡によって封印が解かれたことが明きらかとなる。
特に、熱かしめ部分を覆うようにして封印されることから、封印は二重構造となり、ケースの不正開放がより確実に防止される。
【０００６】
【発明の実施の形態】
［参考構造］
以下、本発明の実施形態の前提となる参考構造について図１〜図１５を参照して説明する。
＜パチンコ機の概略＞
まず、パチンコ機の概略について簡単に説明する。パチンコ機の正面を示す図１０において、額縁状に形成されたパチンコ機の前面枠１１には、金枠１２が嵌め込まれており、その金枠１２の開口のうち下側開口部分は前面板１３によって塞がれている。そして、その前面板１３には、打球を貯留しかつ図示しない打球発射装置に打球を供給する上受け皿１４が設けられている。また、金枠１２の開口のうち、上側開口部分には窓枠１５が嵌め込まれ、そこには透明な板硝子１６が嵌め込まれている。さらに、前面枠１１のうち、前面板１３の下方部分には賞球を貯留する下受け皿１７及び打球発射装置を操作するハンドル１８が設けられている。
【０００７】
そして、上記前面枠１１の裏面側には、図９に示す遊技盤１９が装着されるようになっている。これにより窓枠１５内に遊技領域が形成される。即ち、遊技盤１９の前面には、各種の入賞玉受入装置や、可変表示装置、装飾ランプ等が配されている。また、遊技盤１９の裏面には入賞玉集合カバー２０が装着されており、そこに本発明の封印構造を備えた基板収納ボックス２１が取り付けられている。そして、その中には上記可変表示装置等の制御用回路基板２２が不正改造されないように封印構造をもって封印されている。
【０００８】
＜基板収納ボックスの構造＞
基板収納ボックス２１は、図１に示すように、回路基板２２を固定するための固定側ケース２３とその回路基板２２を覆う被覆側ケース２４とから構成される。固定側ケース２３は、図２に示すように、長方形状の金属製の鋼板からなり、その４隅にはボス部２５（金属製）が立設されている。各ボス部２５には、ねじ孔が形成されており、ここにビス２６（金属製）を締め付けることができるようになっている。この固定側ケース２３における一方の長辺部（図２中、手前側の縁部）は上方に僅かに折り曲げ形成されており、その折曲壁２７のほぼ中央部分には基板挟持部２８が形成されている。基板挟持部２８は、一対の基板受部２９，２９とその間に配された基板押さえ部３０とからなり、基板受部２９は折曲壁２７の所定部位を僅かに上方に突出させた後、内側に折り曲げられることにより形成されている。また、基板押さえ部３０も基板受部２９同様に折曲壁２７の一部を突出させた後、内側に折り曲げられることにより形成されるのであるが、基板受部２９より僅かに高く突出させてある。基板受部２９と基板押さえ部３０との突出高さの差をもって回路基板２２の一縁部を差し込んで保持できるようにしている。さらに、これと反対側の長辺部（図２中、奥側の縁部）も同様に上方に僅かに折り曲げられており、その折曲壁３１から底板４６にかけての部分には、細長な引っ掛け孔３２が適当間隔毎に４個形成されている。
【０００９】
一方、被覆側ケース２４は、図３に示すように、長方形状をなす金属製の鋼板の周縁部を下向きに折り曲げて形成されている。そして、この被覆側ケース２４の長辺側の寸法は固定側ケース２３の対応する辺の寸法に等しく、短辺側の寸法は、固定側ケース２３の対応する辺より短く形成されている。また、被覆側ケース２４の前後両側壁（図３中、右側及び左側）は、同図中の手前側の縁部が固定側ケース２３の横幅寸法と等しくなるまで突出して張出片２４ａ，２４ａが形成されている。また、被覆側ケース２４における図示手前側の側壁の下縁において両張出片２４ａの内側にはそれぞれ取付片３７，３７が折り曲げ形成されている。その取付片３７には取付孔３７ａが形成されており、この各取付孔３７ａの位置は、後述するように被覆側ケース２４を固定側ケース２３に被せた状態（図７に示す状態）で固定側ケース２３の一方側（図７中、左側）の両ボス部２５にそれぞれ整合する位置とされている。また、被覆側ケース２４において取付片３７が設けられているのと反対側の側壁（図４中、手前側の側壁）には、その下縁部（図４中、上縁部）に４個の引っ掛け片３８が前記引っ掛け孔３２に対応した間隔で配されている。この引っ掛け片３８は、側壁の下縁部を内側に折り曲げることにより形成されたものであり、被覆側ケース２４を固定側ケース２３に対してほぼ９０度開いた姿勢（図６に示す姿勢）で固定側ケース２３の引っ掛け孔３２に下方から嵌め込まれる。さらに、その後、引っ掛け片３８を引っ掛け孔３２に係合させた状態のまま被覆側ケース２４を固定側ケース２３に対して被せる方向（図６中、矢印方向）に回動させることができるようになっている。
【００１０】
さらに、被覆側ケース２４の上面部には、図３に示すように、方形状の大きな窓孔３９を中央にして、その周りに複数のスリット４３等が開口している。一方、被覆側ケース２４の裏面にはプラスチック製の閉鎖板４０が各開口を塞ぐようにして装着されている。但し、この閉鎖板４０は各開口を通してケース内を覗き見ることができるよう透明なものが使用されている。より具体的には、窓孔３９を透明な閉鎖板４０によって塞ぐのは、基板収納ボックス２１内に収納される回路基板２２上に取り付けられるＲＯＭ（読み出し専用メモリ）の型式番号（例えば、シリアル番号やバージョン番号）等を窓孔３９を通して確認することができるようにするためである。また、被覆側ケース２４の長辺側の側壁にも複数のスリット４８が形成されているが、これらは放熱孔として機能するものであるから、これらについては閉鎖板４０によっては塞がれない。そして、被覆側ケース２４の左右両内壁面には、閉鎖板４０の取り付けのために一対の係止受部４１が、それぞれ前後に配され、共に内方へ切り起こすことによって形成されている。
【００１１】
一方、閉鎖板４０は、被覆側ケース２４の上壁面の裏側を覆うだけの大きさを有し、かつ長辺側の壁面にかけてのＲ部分にも適合するような側縁形状となっている。さらに、閉鎖板４０の左右両縁部には、上記各係止受部４１に対応して係止片部４２が突出形成されている。そして、被覆側ケース２４の裏面側に窓孔３９、スリット４３等を塞ぐように閉鎖板４０を重ね合わせると各係止片部４２がそれぞれ係止受部４１に係合し、これにより閉鎖板４０が窓孔３９等を塞いだ状態で保持される（図５参照）。
【００１２】
なお、被覆側ケース２４の上面には、一隅部（図３中、左上）に円形の貫通孔４４が形成されており、同様に閉鎖板４０にも貫通孔４４に整合する位置に貫通孔４５が形成されている。そして、この各貫通孔４４，４５を利用して被覆側ケース２４にはキースイッチ５０（図７参照）が取り付けられるようになっている。このキースイッチ５０は、回路基板２２を基板収納ボックス２１内に収納した状態でボックス２１外から操作することができ、これを操作することにより例えば大当たりする確率を変動させることができるものである。また、閉鎖板４０にはスリット４３に整合する位置に複数の小孔４９が形成されており、これらはスリット４３と整合することにより上記スリット４８同様に放熱孔として機能する。
【００１３】
＜封印構造＞
次に、封印構造について述べる。即ち、固定側ケース２３の折曲壁３１の中央部分及び固定側ケース２３における一方の短辺部（図２中、右縁部）の中央部分には、それぞれ突出片３３，３４が上向きに折り曲げ形成されている。この突出片３３は折曲壁３１より高く突出し、そのほぼ中央部には長孔状に形成された係止孔３３ａが穿孔されている。また、被覆側ケース２４において取付片３７が設けられているのと反対側の側壁（図４中、手前側の側壁）及び一方の短辺部（図４中、右縁部）の中央部分には、それぞれ上記各突出片３３，３４に対応して切欠部３５，３６が形成されている。そして、被覆側ケース２４を閉じるとその切欠部３５，３６に固定側ケース２３に形成された突出片３３，３４がそれぞれ面一をなして整合するようになっている。
【００１４】
さらに、図１１に示すように、閉鎖板４０の一方の長辺部（被覆側ケース２４における切欠部３５が形成された側に整合する側の辺）の中央部分には規制片５１が下向きにかつ撓み変形可能に延出形成されている。その規制片５１の下端部中央部分であって外側の面には上記係止孔３３ａにほぼ適合して嵌合可能な係止突部５１ａが形成されている。この係止突部５１ａの位置は、閉鎖板４０を被覆側ケース２４の裏面に取り付けた際に切欠部３５のほぼ中央部分に配される位置であり、被覆側ケース２４を閉じた際に固定側ケース２３の突出片３３に穿孔される係止孔３３ａに嵌り合う位置となっている。また、この係止突部５１ａの突出寸法は係止孔３３ａに嵌合した状態で先端が突出片３３の外面から僅かに突出する寸法に設定されており、その突出部分を熱かしめすることができるようになっている。
【００１５】
なお、回路基板２２は、固定側ケース２３より僅かに小さな方形状をなしており、その４隅には、ボス部２５に対応する位置に固定孔２２ａが形成されている。また、その回路基板２２上にはプリント配線が施され、かつＣＰＵやＲＯＭ等の電気分品が複数個半田付けされている。また、図示しないが、各固定孔２２ａの周りには、回路のグランドを構成するランドが形成されている。
【００１６】
＜参考構造の作用＞
基板収納ボックス２１内に回路基板２２を収納しかつ封印するための手順について述べる。まず、回路基板２２を固定側ケース２３上に重ね合わせ、回路基板２２の縁部（図６中、左縁部）を基板挟持部２８に保持させかつ一方側（図６中、右側）の固定孔２２ａをボス部２５にねじ止めする。さらに、この状態で、被覆側ケース２４を固定側ケース２３に対してほぼ９０度開いた姿勢とし、被覆側ケース２４の引っ掛け片３８を固定側ケース２３の引っ掛け孔３２に下方向から差し込む。（図１及び図６参照）。そして、引っ掛け片３８を引っ掛け孔３２に係合させた状態のまま、被覆側ケース２４を固定側ケース２３に対して被せる方向（図１及び図６中、矢印で示す方向）に回動させる。
【００１７】
この際、規制片５１は、切欠部３５を介して被覆側ケース２４の外側から指で内方に湾曲させ（図１２参照）、被覆側ケース２４の閉蓋方向への回動とともに固定側ケース２３の突出片３３の内側に入り込ませるようにする（図１３参照）。すると、被覆側ケース２４の回動に伴って、湾曲した規制片５１は弾性力で徐々にもとの状態に戻りつつ、係止突部５１ａが突出片３３の上縁部を乗り越えて突出片３３の内側に移動する。そして、被覆側ケース２４が固定側ケース２３に対し正規の閉蓋状態になると規制片５１は突出片３３の内側面に重なり合い、係止突部５１ａが突出片３３の係止孔３３ａに嵌り込む。これにより、被覆側ケース２４側に設けられた係止突部５１ａは固定側ケース２３の係止孔３３ａを介してその先端が基板収納ボックス２１外に突出することになる。
【００１８】
そして、ビス２６を取付孔３７ａ及び固定孔２２ａに挿入し、被覆側ケース２４及び回路基板２２の他方側をボス部２５に共締めするとともに、係止突部５１ａの基板収納ボックス２１外に突出する部分を熱でかしめる（図１４参照）。さらに、突出片３４と切欠部３６との整合面にまたがるように封印紙４７を貼り付けるとともに、突出片３３と切欠部３５との整合面にも封印紙４７を熱かしめ部分の一部を覆った状態となるように貼り付ける（図１５参照）。これにより、回路基板２２は基板収納ボックス２１内に収納されかつ規制片５１及び封印紙４７をもって封印される。
【００１９】
＜参考構造の効果＞
このように本参考構造では、規制片５１を基板収納ボックス２１内において被覆側ケース２４から固定側ケース２３に架け渡し、かつその先端部を固定側ケース２３に形成した係止孔３３ａから突出させ、さらにそこを熱でかしめたため、そのまま基板収納ボックス２１を開放しようとしても、規制片５１がこれに抗し、規制片５１の熱かしめ部分を破壊或いは切断しない限りこれを開放させることができない。従って、基板収納ボックス２１の封印状況が確実に保持される。また、熱かしめ部分を破壊或いは切断した場合には、その破壊等の痕跡によって封印が解かれたことが明きらかとなる。さらに、固定側ケース２３と被覆側ケース２４との整合面には封印紙４７が貼り付けられており、特に一方の封印紙４７は熱かしめ部分の一部を覆うように貼り付けられており、熱かしめ部分を破壊等するには封印紙４７を剥離した上で行わなければならないから、封印は２重構造となり、基板収納ボックス２１が不正に開けられることがより確実に防止される。
【００２０】
［実施形態］
以下、本発明のパチンコ機における基板収納ボックスの封印構造を具体化した実施形態について図１６〜図１９を参照して説明する。
上記参考構造では、封印構造において規制片５１に形成された係止突部５１ａは単なる突部であったが、本実施形態では、係止突部６１に切り込みが形成されている。なお、その他の構成部分は、上記参考構造と同様であるため、ここでは同一部分には同一符号を付して説明を省略する。
【００２１】
即ち、図１６に示すように、規制片５１の下端部外側面には、上記参考構造と同様に係止突部６１が形成されており、その係止突部６１は円柱状をなしている。また、固定側ケース２３の突出片３３には、図１７に示すように、上記係止突部６１に対応して係止孔３３ａが形成され、かつその係止孔３３ａは係止突部６１の形状より僅かに大きく設定されており、そこに係止突部６１を嵌め込むことができるようになっている。また、係止突部６１の突出寸法は、係止孔３３ａに嵌まり合った状態でその先端が係止孔３３ａから僅かに突出する寸法に設定されており、嵌合状態で突出部分を熱かしめできるようにしている。また、係止突部６１の突出面には、十字状の切り込み部６２が形成されており、その深さは規制片５１の表面に至る部分まで達している。これにより、係止突部６１は、同形状の４つの突片６３に分割される。
【００２２】
さて、本実施形態でも上記参考構造と同様に被覆側ケース２４を固定側ケース２３に取り付ける際に規制片５１を撓み変形させて固定側ケース２３の突出片３３の内側に入り込ませる。すると、係止突部６１は固定側ケース２３と被覆側ケース２４とが正規の閉蓋状態とされるのに伴って係止孔３３ａに嵌まり込む（図１７参照）。その後、係止孔３３ａから突出する部分を熱かしめするのであるが、本実施形態では、熱かしめ治具６４の先端を係止突部６１の突出面のほぼ中央部、つまり、切り込み部６２の中心部に押し付ける（図１８参照）。そして、熱かしめ治具６４の先端を切り込み部６２内に割り込ませると、分割された各突片６３は開かれるようにして押し潰され、係止孔３３ａの開口周縁に均一に広がってかしめ状態とされる。さらに、その後、被覆側ケース２４の切欠部３５と固定側ケース２３の突出片３３との整合面においてこの熱かしめ部分の一部を覆うようにして封印紙６５を貼り付ける（図１９参照）。
【００２３】
ところで、本実施形態のように係止突部に切り込みを設けず、単に棒軸状に形成したものでは、熱を加えながら係止突部を押し潰しても、押し潰し方向等、作業上のばらつきによって係止孔周りに均一幅をもって潰れ変形させるのは容易でない。結果的に、係止孔周りの一方に偏った状態でかしめがなされることが多い。その点、本実施形態のように、係止突部６１に切り込みを設けたものでは、熱かしめ治具６４による押し潰し操作がなされた場合に、４つの突片６３がそれぞれ放射方向に倒されながら押し潰し作用を受けるため、かしめ部分の偏在化が避けられ係止孔３３ａ周りのかしめが均一になる。したがって、本実施形態のものは、係止突部６１を上記のような単なる棒軸状に形成したものに比較すれば、熱かしめがより確実なものとなる。
【００３６】
［その他の実施形態］
なお、本発明は種々の変更が可能であり、次のような変形例も本発明の技術的範囲に含まれる。
（１）上記参考構造では、引っ掛け孔３２と引っ掛け片３８との係合によりヒンジを構成していたが、そのようなヒンジを構成せずに被覆側ケースの四隅を固定側ケースにねじ止めするものであってもよい。
【００３７】
（２）  上記実施形態のように、必ずしも規制片５１，７１，９１は閉鎖板４０から一体に形成される必要はなく、それ自体単独で形成されたものであってもよい。この場合には、適当な手段によってケースの内面に固定できるようにすることが必要となる。例えば、そのようにして樹脂部材を固定側ケースから延出させ被覆側ケースの外面において熱かしめするようにしてもよい。
【００３８】
（３）  さらには、固定側・被覆側のいずれのケースにも小孔を設け、その小孔間に樹脂部材を掛け渡し、かつ樹脂部材の両端部を両小孔を介してそれぞれケースの外面で熱かしめするようにしてもよい
【００３９】
（４）  上記参考構造における係止突部５１ａの下端部をテーパ状に切り欠き、突出片３３の先端を乗り越える際にこのテーパ面を係合させながら行ってもよい。これにより、円滑に係止突部が係止孔に案内され、もって封印作業が容易とされる。
【００４０】
（５）  上記実施形態では、係止突部６１に十字状の切り込み部６２が形成されていたが、縦方向或いは横方向に係止突部を２分割するような切り込みや、係止突部を適当な角度毎に等分割するような切り込みであってもよく、要するに切り込みによって分割される分割片（実施形態中、突片）が均一に押し開かれるようなものであればよい。
【００４１】
（６）  また、各突片が寄せ集められている中心部にこれらによって形成される円錐状のテーパ面を設定し、熱かしめ治具の先端を導入し易くしてもよい。
【図面の簡単な説明】
【図１】    参考構造の全体を示す斜視図である。
【図２】    参考構造における固定側ケースを示す斜視図である。
【図３】    参考構造における被覆側ケースと閉鎖板を示す分解斜視図である。
【図４】    参考構造における被覆側ケースを裏返して示す斜視図である。
【図５】  参考構造における被覆側ケースに閉鎖板を取り付けた状態を示す断面図である。
【図６】  参考構造における固定側ケースの引っ掛け孔に被覆側ケースの引っ掛け片を係合させた状態を示す断面図である。
【図７】  参考構造における回路基板を収納した状態を示す断面図である。
【図８】  参考構造における回路基板を収納した状態を示す斜視図である。
【図９】  参考構造における遊技盤の裏面を示す後面図である。
【図１０】  参考構造におけるパチンコ機の正面を示す正面図である。
【図１１】  参考構造における規制片を示す部分拡大側面図である。
【図１２】  参考構造における封印過程（規制片を湾曲させた状態）を示す部分拡大断面図である。
【図１３】  参考構造における封印過程（規制片の先端が突出片の内側に入り込む状態）を示す部分拡大断面図である。
【図１４】  参考構造における封印過程（封印された状態）を示す部分拡大断面図である。
【図１５】  参考構造における封印紙を貼り付けた状態を示す部分拡大側面図である。
【図１６】  実施形態における係止突部を示す部分拡大斜視図である。
【図１７】  同実施形態における係止突部の嵌合状態を示す部分拡大側面図である。
【図１８】  同実施形態における熱かしめ状態を示す部分拡大断面図である。
【図１９】  同実施形態における封印紙を貼り付けた状態を示す部分拡大側面図である。
【符号の説明】
２１…基板収納ボックス
２２…回路基板
２３…固定側ケース
２４…被覆側ケース
３３ａ…係止孔（開口部）
５１…規制片
５１ａ，６１…係止突部（端部）
【図１】
0004055061.tif 000002
【図２】
0004055061.tif 000003
【図３】
0004055061.tif 000004
【図４】
0004055061.tif 000005
【図５】
0004055061.tif 000006
【図６】
0004055061.tif 000007
【図７】
0004055061.tif 000008
【図８】
0004055061.tif 000009
【図９】
0004055061.tif 000010
【図１０】
0004055061.tif 000011
【図１１】
0004055061.tif 000012
【図１２】
0004055061.tif 000013
【図１３】
0004055061.tif 000014
【図１４】
0004055061.tif 000015
【図１５】
0004055061.tif 000016
【図１６】
0004055061.tif 000017
【図１７】
0004055061.tif 000018
【図１８】
0004055061.tif 000019
【図１９】
0004055061.tif 000020